(57)【要約】【課題】入力される音声信号の信号レベルに影響されることなく、通話品質が高く、明瞭度が良く、快適な音声通話を行い得る音声信号クリッピング回路を提供する。【解決手段】マイクロホン１６により入力された音声信号を演算増幅器１３１で許容レベルまで増幅し、この増幅信号から許容レベル以上の信号成分、つまりノイズ成分等をクリップして音声信号処理部１２に入力するようにしている。音声信号処理部１２では、入力された音声信号をＬＡＮで取り扱い可能な音声パケットに変換して通話相手側に送出する。【選択図】      図２
2005109674.tif 000002
【特許請求の範囲】
【請求項１】
入力された音声信号を許容レベル増幅する増幅手段と、
この増幅手段の出力信号から前記許容レベル以上の振幅成分をクリップするクリップ手段とを具備したことを特徴とする音声信号クリッピング回路。
【請求項２】
前記許容レベルに比して低い入力レベルの音声信号を処理する信号処理部を備えるとき、
前記クリップ手段の出力信号を前記信号処理部の入力レベルの信号に変換する変換手段をさらに備えたことを特徴とする請求項１記載の音声信号クリッピング回路。
【請求項３】
前記変換手段は、前記クリップ手段と前記信号処理部との間を接続する信号線路上に設けられる第１の抵抗素子と、この第１の抵抗素子の出力端と基準電位点との間を接続する第２の抵抗素子とを備えたことを特徴とする請求項２記載の音声信号クリッピング回路。
【請求項４】
前記変換手段は、前記クリップ手段の出力信号を前記信号処理部の入力レベルに減衰する減衰手段を備えたことを特徴とする請求項２記載の音声信号クリッピング回路。
【請求項５】
前記クリップ手段の出力から、音声帯域の上端より高域側の信号成分を除去する第１の除去手段と、前記音声帯域の下端より低域側の信号成分を除去する第２の除去手段とをさらに備えることを特徴とする請求項１記載の音声信号クリッピング回路。
【請求項６】
前記増幅手段の基準電圧値と、前記変換手段の基準電圧値とがずれているとき、前記変換手段の基準電圧値に略一致するように前記増幅手段の基準電圧値を補正する補正手段をさらに備えたことを特徴とする請求項２記載の音声信号クリッピング回路。
【請求項７】
請求項１記載の音声信号クリッピング回路を備えたことを特徴とする電話機。
【発明の詳細な説明】
【技術分野】
【０００１】
この発明は、入力された音声信号中の過剰な振幅をクリッピングするための音声信号クリッピング回路及びこの音声信号クリッピング回路を備えた電話機に関する。
【背景技術】
【０００２】
従来よりオフィスビルや事業所では、例えばＰＢＸ（Private Branch Exchange）やボタン電話装置等といった電話交換装置が多く使用されている。この種の電話交換装置は、例えば電話機等を内線端末として収容し、この内線端末と公衆網等の外部通信網との間及び内線端末相互間を交換接続して通話を可能にしている。
【０００３】
ところで、上記電話機では、適正な受話音量が得られるように、ボリューム調整回路を設けているものもある。しかし、ボリュームを上げた場合に、音声信号に混入したノイズ成分も増幅されることになり、その結果、音声が聞き取り難くなってしまうこともある。
【０００４】
そこで、ボリューム調整回路により増幅された音声信号の過剰な振幅をクリッピングし、このクリッピング動作に応答して、ボリューム調整回路に設定されている増幅度を減少補正する装置が提案されている（例えば、特許文献１）。
【特許文献１】特開平５−１８３６２２号公報。
【発明の開示】
【発明が解決しようとする課題】
【０００５】
ところで、上記電話交換装置には、ボリューム調整回路が設けられた電話機の他に、ボリューム調整回路が設けられていないアナログ電話機やデジタル電話機、ＩＰ電話機なども接続されるものもある。これら電話機にも、音声信号を処理するＬＳＩに定格入力以上の大きなレベルの音声信号が入力されると、通話相手側に歪んだ音が聞こえてしまうことなる。そこで、ボリューム調整回路を設けていない電話機にも、ＬＳＩに定格入力以上の音声信号が入力されても、音が歪むことを防ぐような対策が強く望まれている。
【０００６】
そこで、この発明の目的は、入力される音声信号の信号レベルに影響されることなく、通話品質の高い快適な音声通話を行い得る音声信号クリッピング回路及びこの音声信号クリッピング回路を備えた電話機を提供することにある。
【課題を解決するための手段】
【０００７】
この発明は、上記目的を達成するために、以下のように構成される。  
（１）入力された音声信号を許容レベル増幅する増幅手段と、この増幅手段の出力信号から許容レベル以上の振幅成分をクリップするクリップ手段とを備えるようにしたものである。  
（１）の構成によれば、音声信号を処理する信号処理部で取り扱う信号レベルまで増幅する増幅器を使用した場合に、入力された音声信号を増幅器により許容レベルまで増幅し、この増幅信号から許容レベル以上の振幅成分、つまりノイズ成分等をクリップして信号処理部に入力することにより、話者が大きな声で話しても、相手側と話者の側音が歪むことなく、これにより通話品質の高い音声通話を提供できる。
【０００８】
（２）許容レベルに比して低い入力レベルの音声信号を処理する信号処理部を備えるとき、クリップ手段の出力信号を信号処理部の入力レベルの信号に変換する変換手段をさらに備えたことを特徴とする。  
（２）の構成によれば、信号処理部の入力レベルが増幅レベルより小さい場合にも、増幅器の増幅信号から許容レベル以上の信号成分をクリップした後、その増幅信号を信号処理部の入力レベルの信号に変換するようにしているので、既存の増幅器または既存の信号処理部を利用して、通話品質の高い音声通話を提供できる。
【０００９】
（３）クリップ手段の出力から、音声帯域の上端より高域側の信号成分を除去する第１の除去手段と、音声帯域の下端より低域側の信号成分を除去する第２の除去手段とをさらに備えることを特徴とする。  
（３）の構成によれば、高調波やブツ音等を除去することができ、これにより音質を向上させることができる。
【００１０】
（４）増幅手段の基準電圧値と、変換手段の基準電圧値とがずれているとき、変換手段の基準電圧値に略一致するように増幅手段の基準電圧値を補正する補正手段をさらに備えたことを特徴とする。  
（４）の構成によれば、アナログアンプ回路のダイナミックレンジを有効に利用して、高品質の音声通話を提供できる。
【発明の効果】
【００１１】
以上詳述したようにこの発明によれば、入力される音声信号の信号レベルに影響されることなく、通話品質が高い快適な音声通話を行い得る音声信号クリッピング回路及びこの音声信号クリッピング回路を備えた電話機を提供することができる。
【発明を実施するための最良の形態】
【００１２】
以下、この発明の実施形態について図面を参照して詳細に説明する。  
図１は、この発明に係わるネットワーク電話機（ＩＰ電話機）を示すブロック図である。  
図１において、図中符号１はＩＰ電話機で、ＬＡＮ（Local Area Network）インタフェース（Ｉ／Ｆ）部１１と、音声信号処理部１２と、音声入出力インタフェース（Ｉ／Ｆ）部１３と、制御部１４と、操作パネル１５とを備えている。
【００１３】
ＬＡＮインタフェース部１１は、ＬＡＮ２に関するインタフェース動作を行なう。つまり、ＬＡＮインタフェース部１１は、ＬＡＮ２から送られてきた伝送パケットから音声パケットや制御データを抽出し、音声パケットを音声信号処理部１２へ、また制御データを制御部１４へと与える。またＬＡＮインタフェース部１１は、音声信号処理部１２から与えられる音声パケットに制御部１４から与えられるデータを多重して、ＬＡＮ２に送信する。
【００１４】
音声信号処理部１２は、ＬＡＮインタフェース部１１から与えられる音声パケットをアナログの受話音声信号に変換して音声入出力インタフェース部１３に与える。また、音声信号処理部１２は、音声入出力インタフェース部１３から入力された送話音声信号をＬＡＮ２で取り扱い可能な音声パケットに変換してＬＡＮインタフェース部１１に与える。
【００１５】
音声入出力インタフェース部１３には、マイクロホン１６及びスピーカ１７が接続されている。音声入出力インタフェース部１３は、マイクロホン１６により入力された送話音声信号を音声信号処理部１２に入力すると共に、音声信号処理部１２から出力された受話音声信号をスピーカ１７から拡声出力する。
【００１６】
制御部１４は、ソフトウェア処理により本ＩＰ電話機１の各部の制御やＬＡＮ２を介して電話交換装置（図示せず）との間での通信処理を行なう。
【００１７】
操作パネル１５は、キースイッチやＬＣＤ等を有し、ユーザによる制御部１４に対する各種の指示入力を受け付け、またユーザに対する各種の情報報知を行なう。
【００１８】
（第１の実施形態）  
この第１の実施形態は、図１における音声信号処理部１２及び音声入出力インタフェース部１３に関するものである。なお、音声入出力インタフェース部１３には、本発明に係る音声信号クリッピング回路が含まれているものとする。
【００１９】
図２は、第１の実施形態における音声入出力インタフェース部１３の要部構成を示す回路図である。  
音声入出力インタフェース部１３は、演算増幅器（オペアンプ）１３１と、抵抗素子１３２，１３３，１３４，１３５とを備えている。抵抗素子１３２は、マイクロホン１６と演算増幅器１３１のマイナス端子との間の信号線路中に介在される。抵抗素子１３３は、マイクロホン１６と演算増幅器１３１のプラス端子との間の信号線路中に介在される。
【００２０】
抵抗素子１３４は、演算増幅器１３１のマイナス端子と演算増幅器１３１の出力端子との間を接続する。抵抗素子１３５は、演算増幅器１３１のマイナス端子と基準電位点との間を接続する。
【００２１】
演算増幅器１３１は、マイクロホン１６から各抵抗素子１３２，１３３を介して入力された音声信号を予め設定された増幅率で増幅する。なお、増幅率は、各抵抗素子１３２，１３３，１３４，１３５それぞれの抵抗値によって設定される。
【００２２】
次に、上記構成における動作について説明する。  
例えば、演算増幅器１３１の電源をグランド（０Ｖ）と、アナログ電源（＋５Ｖ）で使用したとする。ここで、入力レベルの小さい音声信号は、演算増幅器１３１によってそのまま増幅されて出力される。しかし、入力レベルの大きい音声信号は、演算増幅器１３１によって増幅されるとともに、上限値以上、下限値以下の振幅がクリップされることになる。なお、上限値は、アナログ電源に近い値に設定され、下限値は、グランドに近い値に設定される。
【００２３】
すなわち、音声信号は、演算増幅器１３１によって上限値と下限値との間の範囲、つまり許容レベルまで増幅されることになる。この場合、図３（ａ）に示す正弦波の音声信号は、上限値以上の山の部分及び下限値以下の山の部分がクリップされて、図３（ｂ）に示すように、矩形波の形で出力される。
【００２４】
また、音声信号は、図４（ａ）に示すように、時間的にピークの高い特性である。この音声信号は、演算増幅器１３１に通されると、図４（ｂ）に示すように、上限値と下限値がカットされた波形となる。このように、上限値と下限値をカットした波形であっても、音声ではほとんど同じように聞こえる。
【００２５】
また、マイクロホン１６からの音声信号を音声信号処理部１２に入力する場合には、演算増幅器１３１の増幅率をある程度高くしないと、音声品質が悪くなる。
【００２６】
以上のように上記第１の実施形態では、音声信号処理部１２の入力定格レベルまで増幅する演算増幅器１３１を使用する場合に、マイクロホン１６により入力された音声信号を演算増幅器１３１で許容レベルまで増幅し、この増幅信号から上限値以上、下限値以下の振幅成分、つまりノイズ成分等をクリップして音声信号処理部１２に入力するようにしている。したがって、話者が大きな声で話しても、相手側と話者の側音が歪むことなく、これにより通話品質の高い音声通話を提供できる。
【００２７】
（第２の実施形態）  
この第２の実施形態は、図１における音声信号処理部１２及び音声入出力インタフェース部１３に関するものである。
【００２８】
図５は、第２の実施形態における音声入出力インタフェース部１３の要部構成を示す回路図である。なお、図５において、上記図２と同一部分には同一符号を付して詳細な説明を省略する。  
この第２の実施形態では、演算増幅器１３１の出力側に分圧回路２１を設けている。この分圧回路２１は、抵抗素子２１１，２１２を備えている。抵抗素子２１１は、演算増幅器１３１と音声信号処理部１２との間の信号線路中に介在される。抵抗素子２１２は、抵抗素子２１１の出力端と基準電位点との間を接続する。
【００２９】
そして、分圧回路２１は、演算増幅器１３１の出力電圧を入力して、その分圧出力を音声信号処理部１２に供給する。すると、音声信号処理部１２には、入力定格レベルより低い音声信号が入力されることになる。
【００３０】
以上のように上記第２の実施形態では、演算増幅器１３１の増幅レベルが音声信号処理部１２の入力定格レベルより大きい場合に、演算増幅器１３１の増幅信号から上限値以上、下限値以下の振幅をクリップした後、その増幅信号を分圧回路２１によって音声信号処理部１２の入力定格レベルの信号に変換するようにしている。したがって、音声信号処理部１２の入力定格レベルに合わせるために演算増幅器１３１を新たな演算増幅器に交換する必要がなく、分圧回路２１を設けた簡単な構成により通話品質の高い音声通話を提供でき、かつ低コスト化を図ることができる。
【００３１】
（第３の実施形態）  
この第３の実施形態は、図１における音声信号処理部１２及び音声入出力インタフェース部１３に関するものである。
【００３２】
図６は、第３の実施形態における音声入出力インタフェース部１３の要部構成を示す回路図である。なお、図６において、上記図２と同一部分には同一符号を付して詳細な説明を省略する。  
この第３の実施形態では、演算増幅器１３１の後段に演算増幅器３１及び抵抗素子３２，３３を設けている。抵抗素子３２は、演算増幅器３１のマイナス端子と演算増幅器１３１の出力端子との信号線路中に介在される。抵抗素子３３は、演算増幅器３１のマイナス端子と演算増幅器３１の出力端子との間を接続する。演算増幅器３１のプラス端子には、基準電圧が供給される。
【００３３】
演算増幅器３１は、演算増幅器１３１の出力信号を予め設定された増幅率で増幅する。なお、増幅率は、各抵抗素子３２，３３それぞれの抵抗値によって設定され、かつ１未満に設定される。
【００３４】
演算増幅器３１の出力信号は、音声信号処理部１２に供給される。この音声信号処理部１２には、演算増幅器３１によって入力定格レベルに合わせられた音声信号が入力されることになる。
【００３５】
以上のように上記第３の実施形態では、演算増幅器１３１の増幅レベルが音声信号処理部１２の入力定格レベルより大きい場合に、演算増幅器１３１の増幅信号から上限値以上、下限値以下の振幅をクリップした後、その増幅信号を演算増幅器３１によって音声信号処理部１２の入力定格レベル以下の信号に減衰するようにしている。したがって、音声信号処理部１２の入力定格レベルに合わせるために演算増幅器１３１を新たな演算増幅器に交換する必要がなく、通話品質の高い音声通話を提供できる。また、音声信号処理部１２の入力インピーダンスが低い場合にも、演算増幅器３１の増幅率を調整するだけで利用できる。
【００３６】
（第４の実施形態）  
この第４の実施形態は、図１における音声入出力インタフェース部１３に関するものである。  
図７は、第４の実施形態における音声入出力インタフェース部１３の要部構成を示す回路図である。なお、図７において、上記図２と同一部分には同一符号を付して詳細な説明を省略する。  
この第４の実施形態では、演算増幅器１３１にハイカットフィルタ４１及びローカットフィルタ４２を設けている。ハイカットフィルタ４１は、コンデンサ４１１と、抵抗素子４１２とを備えている。コンデンサ４１１は、演算増幅器１３１の出力端と基準電位点との間を接続する。抵抗素子４１２は、演算増幅器１３１と音声信号処理部１２との間の信号線路中に介在される。演算増幅器１３１の出力電流は、抵抗素子４１２を介してローカットフィルタ４２に供給されるとともに、コンデンサ４１１に蓄積される。コンデンサ４１１は、蓄積していた電流をローカットフィルタ４２を介して音声信号処理部１２に供給することにより、演算増幅器１３１の増幅信号の高周波成分を除去するものである。
【００３７】
ローカットフィルタ４２は、コンデンサ４２１と、抵抗素子４２２とを備えている。これらコンデンサ４２１及び抵抗素子４２２は、演算増幅器１３１と音声信号処理部１２との間の信号線路中に介在される。ハイカットフィルタ４１の出力電流は、コンデンサ４２１に蓄積され、抵抗素子４２２を介して音声信号処理部１２に供給される。これにより、音声信号処理部１２には、低周波成分が除去された信号が供給されることになる。
【００３８】
次に、上記構成による動作について説明する。  
演算増幅器１３１に入力される音声信号は、図８（ａ）に示すように、矩形波で出力される。この状態では、音質の点で、高調波が乗りすぎていて、聴感上悪い。また、直流成分が乗っていると、ブツ音などが発生する。
【００３９】
そこで、本第４の実施形態では、演算増幅器１３１の出力信号を、ハイカットフィルタ４１及びローカットフィルタ４２に通して音声信号処理部１２に供給することにより、図８（ｂ）に示すように、滑らかな信号が得られる。通常、アナログ回線は帯域として３００Ｈｚ〜３．４ｋＨｚであるので、３００Ｈｚより低域側及び３．４ｋＨｚより高域側の信号成分は、ハイカットフィルタ４１及びローカットフィルタ４２により除去されることになる。
【００４０】
以上のように上記第４の実施形態によれば、ハイカットフィルタ４１及びローカットフィルタ４２を設けることにより、演算増幅器１３１でクリッピングされた音声信号から高調波やブツ音等を除去することができ、これにより音質を向上させることができる。
【００４１】
（第５の実施形態）  
この第５の実施形態は、図１における音声信号処理部１２及び音声入出力インタフェース部１３に関するものである。
【００４２】
図９は、第５の実施形態における音声入出力インタフェース部１３の要部構成を示す回路図である。なお、図９において、上記図６と同一部分には同一符号を付して詳細な説明を省略する。  
この第５の実施形態では、演算増幅器１３１に補正回路５１及びハイカットフィルタ５２を設けている。補正回路５１は、端子５１１と、抵抗素子５１２，５１３とを備えている。抵抗素子５１２は、端子５１１と演算増幅器１３１のプラス端子との間の信号線路中に介在される。抵抗素子５１３は、抵抗素子５１２の出力端と基準電位点との間を接続する。なお、抵抗素子５１３には、常に基準電圧Ａが供給される。
【００４３】
ここで、補正回路５１は、端子５１１に演算増幅器３１の基準電圧Ｂが供給されると、基準電圧Ａと基準電圧Ｂとのずれに相当する分圧出力をハイカットフィルタ５２に供給する。ハイカットフィルタ５２は、抵抗素子５２１とコンデンサ５２２とを並列に接続している。補正回路５１の出力電流は、抵抗素子５２１を介して演算増幅器１３１のプラス端子に供給されると共にコンデンサ５２２に蓄積される。このコンデンサ５２２は、蓄積していた電流を演算増幅器１３１のプラス端子に供給することにより、補正回路５１からの出力電圧から交流分をカットするものである。すなわち、演算増幅器１３１の基準電圧Ａは、補正回路５１からの出力電圧により演算増幅器３１の基準電圧Ｂに略一致するように補正される。
【００４４】
また、演算増幅器１３１には、ハイカットフィルタ５３が設けられ、演算増幅器３１には、ハイカットフィルタ５４及びローカットフィルタ５５が設けられている。これにより、音声信号処理部１２に入力される音声信号を滑らかな信号にすることができる。
【００４５】
以上のように上記第５の実施形態によれば、演算増幅器１３１に、演算増幅器１３１の基準電圧Ａと演算増幅器３１の基準電圧Ｂとのずれを補正する補正回路５１を設けるようにしているので、例えばアナログアンプ回路のダイナミックレンジを有効に利用して、高品質の音声通話を提供できる。
【００４６】
（第６の実施形態）  
この第６の実施形態は、図１における音声信号処理部１２及び音声入出力インタフェース部１３に関するものである。
【００４７】
図１０は、第６の実施形態における音声入出力インタフェース部１３の要部構成を示す回路図である。なお、図１０において、上記図５及び図９と同一部分には同一符号を付して詳細な説明を省略する。  
この第６の実施形態では、上記第５の実施形態と同様に、演算増幅器１３１に補正回路５１及びハイカットフィルタ５２を設けている。端子５１１には、分圧回路２１の抵抗素子２１２に供給される基準電圧Ｂと同等の電圧が供給されるものとする。
【００４８】
ここで、補正回路５１は、端子５１１に演算増幅器３１の基準電圧Ｂが供給されると、基準電圧Ａと基準電圧Ｂとのずれに相当する分圧出力をハイカットフィルタ５２に供給する。補正回路５１の出力電流は、抵抗素子５２１を介して演算増幅器１３１のプラス端子に供給されると共にコンデンサ５２２に蓄積される。このコンデンサ５２２は、蓄積していた電流を演算増幅器１３１のプラス端子に供給することにより、補正回路５１からの出力電圧から交流分をカットするものである。すなわち、演算増幅器１３１の基準電圧Ａは、補正回路５１からの出力電圧により分圧回路２１の基準電圧Ｂに略一致するように補正される。
【００４９】
以上のように上記第６の実施形態によれば、演算増幅器１３１に、演算増幅器１３１の基準電圧Ａと分圧回路２１の基準電圧Ｂとのずれを補正する補正回路５１を設けるようにしているので、例えばアナログアンプ回路のダイナミックレンジを有効に利用して、高品質の音声通話を提供できる。
【００５０】
（その他の実施形態）  
なお、この発明は上記各実施形態に限定されるものではない。例えば、上記第１の実施形態では、演算増幅器により音声信号をクリッピングする例について説明したが、演算増幅器以外の増幅器を用いてクリッピングを行うようにしてもよい。
【００５１】
また、上記第２及び第３の実施形態では、クリッピングされた音声信号を音声信号処理部の入力定格レベル以下とするために、分圧回路や演算増幅器を用いる例について説明したが、分圧回路や演算増幅器の他に、クリッピングされた音声信号を音声信号処理部の入力定格レベル以下の信号に変換できるものを用いてもよい。
【００５２】
また、上記各実施形態では、ＩＰ電話機に適用される例について説明したが、ＩＰ電話機以外にも、アナログ電話機やデジタル電話機に適用されるものであってもよい。また、電話機以外にも、音声信号を取り扱う電子機器に上記各実施形態を適用するようにしてもよい。
【００５３】
その他、電話機の種類及びその構成、音声入出力インタフェース部内の音声信号クリッピング回路の構成、音声信号のクリッピング手順等についても、この発明の要旨を逸脱しない範囲で種々変形して実施できる。
【図面の簡単な説明】
【００５４】
【図１】この発明に係わる音声信号クリッピング回路が使用されるＩＰ電話機の要部構成を示すブロック。
【図２】この発明の第１の実施形態における音声信号クリッピング回路の要部構成を示す回路。
【図３】同第１の実施形態において、音声信号が演算増幅器によりクリッピングされる様子を示す信号波形図。
【図４】同第１の実施形態において、音声信号が演算増幅器によりクリッピングされる様子を示す信号波形図。
【図５】この発明の第２の実施形態における音声信号クリッピング回路の要部構成を示す回路。
【図６】この発明の第３の実施形態における音声信号クリッピング回路の要部構成を示す回路。
【図７】この発明の第４の実施形態における音声信号クリッピング回路の要部構成を示す回路。
【図８】同第４の実施形態において、クリッピングされた音声信号の高域成分及び低域成分がカットされた様子を示す信号波形図。
【図９】この発明の第５の実施形態における音声信号クリッピング回路の要部構成を示す回路。
【図１０】この発明の第６の実施形態における音声信号クリッピング回路の要部構成を示す回路。
【符号の説明】
【００５５】
１…ＩＰ（ネットワーク）電話機、２…ＬＡＮ、１１…ＬＡＮインタフェース部、１２…音声信号処理部、１３…音声入出力インタフェース部、１４…制御部、１５…操作パネル、１６…マイクロホン、１７…スピーカ、２１…分圧回路、３１，１３１…演算増幅器、３２,３３，１３２〜１３５，２１１，２１２…抵抗素子、４１，５２，５３…ハイカットフィルタ、４２，５５…ローカットフィルタ、５１…補正回路、４１１，４２１，５２２…コンデンサ。
【図１】
2005109674.tif 000003
【図２】
2005109674.tif 000004
【図３】
2005109674.tif 000005
【図４】
2005109674.tif 000006
【図５】
2005109674.tif 000007
【図６】
2005109674.tif 000008
【図７】
2005109674.tif 000009
【図８】
2005109674.tif 000010
【図９】
2005109674.tif 000011
【図１０】
2005109674.tif 000012